【事件の表示】
　平成　４年特許願第３５５３７５号「放射線画像記録読取装置」拒絶査定に対する審判事件［平成　６年　７月　８日出願公開、特開平　６−１８６６５４］について、次のとおり審決する。
【結　論】
　本件審判の請求は、成り立たない。
【理　由】
１．手続の経緯
　本願は、出願日が平成４年１２月２１日である特願平４−３５５３７５号であって、平成１４年４月１５日付で拒絶査定がなされ、これに対し同年５月２３日に拒絶査定に対する審判請求がなされた。
　
２．本願発明
　本願の請求項１に係る発明（以下、「本願発明」という。）は、特許請求の範囲の請求項１に記載された次のとおりのものと認める。
「被写体を透過した放射線を放射線画像変換パネルに照射して放射線画像情報を記録し、当該記録の後に当該放射線画像変換パネルに記録されていた放射線画像情報を読取るように構成した画像記録読取手段を有する放射線画像記録読取装置において、
　前記放射線画像情報を記憶する画像記憶手段と、
　画像識別符号を自動的に発生させる画像識別符号自動発生手段と、
　被検者情報を入力するための被検者情報入力手段と、
　放射線画像の撮影に先立って、画像識別符号自動発生手段から発生する画像識別符号と、被検者情報入力手段より入力された被検者情報とを対応付け、これとともに、放射線画像の撮影および記録された放射線画像情報の読取動作を画像記録読取手段に行わせ、これによって得られる、画像記憶手段に記憶させる放射線画像情報と、前記被検者情報が対応付けられた当該画像識別符号とを対応付けた記憶を行わせる制御手段と
　を有することを特徴とする放射線画像記録読取装置。」
　
３．引用例
３−１．引用例１
　これに対して、原査定の拒絶の理由に引用された、特開昭６３−１３３１４２号公報（以下、引用例１という。）には、以下の技術事項が記載されている。
ア．本発明は画像情報を記録した画像面上をレーザ光により露光主走査し、この画像情報の発光光即ち反射光又は透過光又は散乱光を光検出器により光電変換して画像情報を読み取ると共に画像表示を行う放射線画像情報読取表示装置に関する。（公報第１頁右下欄１３〜１７行）
　
イ．Ｘ線撮影される被写体２の識別情報は、コントロール部５のキーボード５３ａから入力される。この識別情報としては、ＩＤ番号、氏名、生年月日、性別、撮影部位、撮影日時等がある。但し、撮影日時は、ＣＰＵ５０内に内蔵されているカレンダ・クロックにより自動的に挿入されるようにしてもよいし、外部機器でＩＤ情報を管理している場合は、それから送ってもらい照合のみ行うようにしてもよい。又、外部端末で入力されたものを受信して照合のみ行ってもよい。又、ここで入力される識別情報は、その時点で撮影される患者に関するものだけでもよいし、一連の情報を予め入力しておいて、後に順に撮影を行ってもよい。識別情報が入力され、患者を撮影位置にセットして撮影を行う。（公報第３頁左下欄３〜下から４行）
　
ウ．そして、読取が終了し変換パネル３の残像消去が開始されると略同時に表示と磁気ディスク装置５８への記憶は終了する。（公報第５頁右上欄４〜６行）
　
エ．磁気ディスク装置５８に一時保存された画像データは、選択的に再表示できるようになっている。この場合には表示すべき画像を選択するために、磁気ディスク装置５８の一時保存画像のリストを情報入力手段５３の中のＬＣＤ表示手段５３ｂに表示し、キーボード５３ａからＩＤ情報を使用して選択すればよい。（公報第５頁左下欄４〜１０行）
　
オ．被写体２を透過した放射線源１からの放射線を放射線変換パネル３に照射して放射線画像情報を記録し、当該記録の後に当該放射線変換パネル３に記録されていた放射線画像情報を読み取るように構成した放射線画像情報記録読取部４が第２図から読み取れる。
　
　したがって、引用例１には、上記各記載事項、及び図面から、以下の発明（以下、引用発明、という。）が記載されている。
「被写体２を透過した放射線を放射線変換パネル３に照射して放射線画像情報を記録し、当該記録の後に当該放射線変換パネル３に記録されていた放射線画像情報を読取るように構成した放射線画像情報記録読取部４を有する放射線画像情報読取表示装置において、
画像データを記憶する磁気ディスク装置５８と、
被写体２の識別情報（ＩＤ情報）を入力するためのキーボード５３ａとを有し、
一連のＩＤ情報を予め入力しておいて、後に順に撮影を行う放射線画像情報読取表示装置」
　
３−２．引用例２
　また、同じく、原査定の拒絶の理由に引用された、特開昭５８−７２０４２号公報（以下、引用例２という。）には、以下の技術事項が記載されている。
カ．本発明によれば、撮影室２００Ａ〜２００Ｎにおいて被検体２１０の撮影が行なわれる際に、蛍光体シート４０８の磁気記録体ラベル４１０にそのシート４０８に固有の識別符号が磁気記録されるとともに、被検体２１０およびその撮影に関するデータを識別情報端末２０２を操作して入力し、全体制御系３００へ識別符号と共に転送してここに蓄積する。（公報第４頁左上欄下から５行〜右上欄３行）
　
キ．識別情報制御部２２４は識別情報端末２０２の全体を制御する制御装置であり、たとえばマイクロコンピュータなどによって実現してもよい。その重要な機能は１撮影（ショット）ごとにその蛍光体シート４０８に割り当てる固有の識別符号を発生して識別符号記録部２１２に送ることと、キーボード２２０およびカードリーダ２２２などからリード２２６で受信した入力データとこの内部で発生した識別符号を対応付けることである。（公報第５頁右上欄下から５行〜左下欄５行）
　
ク．蛍光体シート４０８に固有の識別符号は、たとえば一連の番号のうちの１つからなり、固定部分と可変部分を含んでいてもよい。固定部分はたとえばその識別情報端末装置２０２または撮影室２００Ａ〜２００Ｎのうちの１つに固有のコードであり、識別情報制御部２２４にたとえばプログラム設定により半固定的に設定される。可変部分はその識別情報端末２０２の中での連続番号でよく、たとえば上位桁が日付に対応し、下位桁がその日付に対応する日において付与される一連番号の１つを示すようにしてもよい。（公報第５頁左下欄１１行〜右下欄２行）
　
ケ．ところで画像処理室１００に送られた蛍光体シート４０８は読取系１０２にロードされ、蓄積画像の読取りが行なわれるが、その際シート４０８の識別符号を読み取るためにセンサ３２２が読取系１０２のシート搬送部（図示せず）に設けられている。・・・センサ３２２および識別符号読取部３２６は多種類の多数の蛍光体シート４０８を一括処理するため、高い信頼性が要求されるものであり、リトライ機能および読取位置変更機能を有するものであってもよい。全体制御部３１６は読取部３２６からリード３３０に与えられたシート４０８の識別符号に応動してファイル記憶部３１６の蓄積ファイルの中からそれに対応する被検体データおよび撮影データを索出し、リード３３２に出力する機能を有する。・・・このようにしてフィルム３４０には、読取系１０２で蛍光体シート４０８から読み取り全体制御部３１６で画像処理の行なわれた画像信号が領域３４４に可視記録されるとともに、患者名や撮影条件などのデータが領域３４２に視認可能な形で可視記録され、ハードコピーを得ることができる。（公報第７頁右下欄２行〜第８頁左上欄８行）
　
４．対比
　本願発明と引用発明とを対比すると、引用発明の「放射線変換パネル３」、「放射線画像情報読取表示装置」、「画像データ」、「磁気ディスク装置５８」、「被写体２の識別情報（ＩＤ情報）」、「キーボード５３ａ」は、それぞれ、本願発明の「放射線画像変換パネル」、「放射線画像記録読取装置」、「放射線画像情報」、「画像記憶手段」、「被検者情報」、「被検者情報入力手段」に相当する。
　
　そして、引用発明の、放射線画像情報記録読取部４が、画像記録読取手段を有していることは明らかである。
　
　結局、両者は、「被写体を透過した放射線を放射線画像変換パネルに照射して放射線画像情報を記録し、当該記録の後に当該放射線画像変換パネルに記録されていた放射線画像情報を読取るように構成した画像記録読取手段を有する放射線画像記録読取装置において、
前記放射線画像情報を記憶する画像記憶手段と、
被検者情報を入力するための被検者情報入力手段と、
を有することを特徴とする放射線画像記録読取装置。」である点で一致し、以下の各点において相違している。
　
相違点１；
　本願発明では、画像識別符号を自動的に発生させる画像識別符号自動発生手段を有しているのに対し、引用発明では、その点の記載がない点。
　
相違点２；
　本願発明では、放射線画像の撮影に先立って、画像識別符号自動発生手段から発生する画像識別符号と、被検者情報入力手段より入力された被検者情報とを対応付け、これとともに、放射線画像の撮影および記録された放射線画像情報の読取動作を画像記録読取手段に行わせ、これによって得られる、画像記憶手段に記憶させる放射線画像情報と、前記被検者情報が対応付けられた当該画像識別符号とを対応付けた記憶を行わせる制御手段を有しているのに対し、引用発明では、その点の記載がない点。
　
５．当審の判断
以下、各相違点について検討する。
相違点１について；
　引用例２のものには、蛍光体シート４０８に割り当てる固有の識別符号が識別情報端末２０２の全体を制御する制御装置の内部で発生した点が記載されている（上記記載事項キ．）ので、識別符号発生手段が開示されていることは明らかである。この識別符号は具体的には、蛍光体シート４０８に磁気記録されるものであるが、上記記載事項ケ．から明らかなように、蛍光体シート４０８に記録された画像を識別するためのものである。
　引用例２のものも放射線画像を記録させる撮影装置、読取装置、画像再生装置等を含む放射線画像再生処理装置に関するもので引用発明と同様の技術分野であるので、引用発明に引用例２の識別符号発生手段を付加して相違点１の構成とすることは、当業者にとって容易なことである。
　
相違点２について；
　引用発明のＩＤ情報は、被写体画像を識別する（上記記載事項エ．）という意味において、本願発明の画像識別符号に被検者情報とを対応付けたものと同様である。そして、引用例１には、ＩＤ情報を予め入力しておいて、後に順に撮影を行う点（上記記載事項イ．）、画像データをＩＤ情報を使用して選択する点（上記記載事項エ．）が記載されているので、放射線画像の撮影に先立って、画像識別のための情報を準備し、後で画像情報と対応させることは、引用例１に記載されている。
　したがって、次に、画像識別のための情報が、画像識別符号と、被検者情報入力手段より入力された被検者情報とを対応付けた点を検討すると、引用例２には、予め蛍光体シート４０８に固有の識別符号（本願発明の画像識別符号に相当）に識別情報端末２０２を操作して入力した被検体データ（本願発明の被検者情報に相当）を組み合わせたものと、画像処理の行なわれた画像信号（本願発明の放射線画像情報に相当）とを対応付ける点が記載されている（記載事項カ．、ケ．）ので、この点も、当業者にとって容易である。
　そして、放射線画像の撮影および記録された放射線画像情報の読取動作を画像記録読取手段に行わせ、これによって画像記憶手段に記憶させる放射線画像情報を得ることは、放射線画像情報記録読取部４、及び画像データを記憶する磁気ディスク装置５８等を有する引用発明から明らかである。
　結局、相違点２の具体的手段は、引用発明、及び引用例１、２のものから容易であり、それらを組合せた一連の手段を単に制御手段と限定することもまた、当業者にとって容易なことである。
　
　本願発明の効果も、上記各引用例に記載されたものから予測し得る程度のものである。
　
６．むすび
　したがって、本願発明は、上記引用例１，２に記載された発明に基づいて、当業者が容易に発明をすることができたものと認められるから、特許法第２９条第２項の規定により特許を受けることができない。
　よって、結論のとおり審決する 。